(57)【要約】【課題】消費電力を効果的に抑制しつつ、出力対象コンテンツに関連する付加情報、および外部機器から与えられる情報を表示することができるテレビジョン受像機を提供する。【解決手段】本体制御部３０は、コンテンツ判別部１７によって、出力対象コンテンツが映像コンテンツを含まないと判別された場合、またはネットワーク表示情報判別部１６によって、ネットワーク対応外部機器４２からネットワーク表示情報が与えられたと判別された場合、主表示ユニット３１を消費電力低減状態になるように制御し、副表示ユニット２７を、出力対象コンテンツの付加情報およびネットワーク表示情報の少なくとも一方を表示するように制御する。【選択図】図１
2014229960.tif 000002
【特許請求の範囲】
【請求項１】
出力対象コンテンツに映像コンテンツが含まれるか否かを判別するコンテンツ判別部と、
外部ネットワークを経由して外部機器から、表示すべきネットワーク表示情報が与えられたか否かを判別するネットワーク表示情報判別部と、
前記映像コンテンツ、前記出力対象コンテンツに関連する付加情報および前記ネットワーク表示情報のうち、少なくとも１つを表示可能な主表示部を含む主表示ユニットと、
前記付加情報および前記ネットワーク表示情報を表示可能な副表示部を含む副表示ユニットと、
音声を出力する音声出力部と、
少なくとも前記主表示部および前記副表示部を制御する制御部とを備え、
前記制御部は、前記コンテンツ判別部によって、前記出力対象コンテンツが映像コンテンツを含まないと判別された場合、または前記ネットワーク表示情報判別部によって前記外部機器から前記ネットワーク表示情報が与えられたと判別された場合、前記主表示ユニットを、消費電力が低減された消費電力低減状態になるように制御するとともに、前記副表示ユニットを、前記出力対象コンテンツの付加情報および前記ネットワーク表示情報の少なくとも一方を表示するように制御することを特徴とするテレビジョン受像機。
【請求項２】
周囲の明るさを表す明るさ情報を検出する明るさセンサを備え、
前記制御部は、前記明るさセンサの検出結果に基づいて、前記副表示ユニットを前記消費電力低減状態になるように制御可能に構成されることを特徴とする請求項１に記載のテレビジョン受像機。
【請求項３】
外部から与えられる外部コンテンツを前記出力対象コンテンツとして記録可能な記録再生ディスク装置を備え、
前記制御部は、前記記録再生ディスク装置によって前記外部コンテンツが記録されているとき、前記主表示ユニット、前記副表示ユニットおよび前記音声出力部の少なくとも１つを前記消費電力低減状態になるように制御可能に構成されることを特徴とする請求項１または２に記載のテレビジョン受像機。
【発明の詳細な説明】
【技術分野】
【０００１】
本発明は、外部機器から与えられる情報を表示可能なテレビジョン受像機に関する。
【背景技術】
【０００２】
テレビジョン受像機で出力される対象となる出力対象コンテンツが、映像コンテンツを含まずに、音声コンテンツのみを含むコンテンツである場合に、表示部のバックライトを消灯または減光させることによって、テレビジョン受像機の消費電力を抑える技術がある（たとえば、特許文献１，２参照）。
【先行技術文献】
【特許文献】
【０００３】
【特許文献１】特開２００７−１６６３０１号公報
【特許文献２】特開昭６４−３０３７７号公報
【発明の概要】
【発明が解決しようとする課題】
【０００４】
テレビジョン受像機で音声コンテンツのみを含む出力対象コンテンツを出力する場合でも、出力対象コンテンツに含まれる音声コンテンツの再生時間、トラック番号およびタイトル名などの付加情報、ならびに外部機器から与えられる情報（以下「外部情報」という場合がある）などを表示して、視聴者に提供することがある。
【０００５】
前述の特許文献１，２に開示される技術では、音声コンテンツのみを含む出力対象コンテンツを出力する場合、消費電力を抑えるために、表示部のバックライトが消灯または減光される。しかし、付加情報および外部情報などを表示するためには、表示部のバックライトを点灯させる、または減光せずに点灯させる必要がある。したがって、バックライトの消灯または減光による消費電力の抑制効果を十分に得ることができないという問題がある。
【０００６】
本発明の目的は、消費電力を効果的に抑制しつつ、出力対象コンテンツに関連する付加情報、および外部から与えられる情報などを表示することができるテレビジョン受像機を提供することである。
【課題を解決するための手段】
【０００７】
本発明のテレビジョン受像機は、出力対象コンテンツに映像コンテンツが含まれるか否かを判別するコンテンツ判別部と、外部ネットワークを経由して外部機器から、表示すべきネットワーク表示情報が与えられたか否かを判別するネットワーク表示情報判別部と、前記映像コンテンツ、前記出力対象コンテンツに関連する付加情報および前記ネットワーク表示情報のうち、少なくとも１つを表示可能な主表示部を含む主表示ユニットと、前記付加情報および前記ネットワーク表示情報を表示可能な副表示部を含む副表示ユニットと、音声を出力する音声出力部と、少なくとも前記主表示部および前記副表示部を制御する制御部とを備え、前記制御部は、前記コンテンツ判別部によって、前記出力対象コンテンツが映像コンテンツを含まないと判別された場合、または前記ネットワーク表示情報判別部によって前記外部機器から前記ネットワーク表示情報が与えられたと判別された場合、前記主表示ユニットを、消費電力が低減された消費電力低減状態になるように制御するとともに、前記副表示ユニットを、前記出力対象コンテンツの付加情報および前記ネットワーク表示情報の少なくとも一方を表示するように制御することを特徴とする。
【発明の効果】
【０００８】
本発明のテレビジョン受像機によれば、出力対象コンテンツが映像コンテンツを含まない場合、または外部機器からネットワーク表示情報が与えられた場合、制御部によって、主表示ユニットが消費電力低減状態になるように制御され、副表示ユニットが付加情報およびネットワーク表示情報の少なくとも一方を表示するように制御される。これによって、消費電力を効果的に抑制しつつ、出力対象コンテンツに関連する付加情報、および外部機器から与えられるネットワーク表示情報などを表示することができる。
【図面の簡単な説明】
【０００９】
【図１】本発明の第１の実施の形態であるテレビジョン受像機１の構成を示すブロック図である。
【図２】本発明の第２の実施の形態であるテレビジョン受像機１Ａの構成を示すブロック図である。
【図３】本発明の第２の実施の形態のテレビジョン受像機１Ａの外観を示す図である。
【発明を実施するための形態】
【００１０】
＜第１の実施の形態＞
図１は、本発明の第１の実施の形態であるテレビジョン受像機１の構成を示すブロック図である。テレビジョン受像機１は、チューナ部１１、復調部１２、記録再生ディスク装置１３、ネットワークデコード部１４、ストリームバス部１５、ネットワーク表示情報判別部１６、コンテンツ判別部１７、ＡＶ（Audio Visual）デコーダ部１８、付加情報処理部２２、付加情報合成部２３、音声処理部２４、副表示処理部２５、主表示処理部２６、副表示ユニット２７、本体制御部３０、主表示ユニット３１、音声アンプ３４およびスピーカ３５を備えて構成される。本体制御部３０は、制御部に相当する。スピーカ３５は、音声出力部に相当する。
【００１１】
ＡＶデコーダ部１８は、内部映像生成部１９、ビデオデコーダ部２０およびオーディオデコーダ部２１を備える。副表示ユニット２７は、副表示部２８および副表示部用バックライト２９を備える。主表示ユニット３１は、主表示部３２および主表示部用バックライト３３を備える。
【００１２】
チューナ部１１には、アンテナ１０が接続されている。アンテナ１０は、放送局から送信されるデジタル放送信号を受信可能である。アンテナ１０によって受信されたデジタル放送信号は、チューナ部１１に与えられる。チューナ部１１は、アンテナ１０から与えられるデジタル放送信号から特定の周波数の信号を抽出する。チューナ部１１によって抽出される特定の周波数は、デジタル放送信号に含まれる複数のチャンネルのうち、いずれかのチャンネルの周波数である。チューナ部１１は、抽出した特定の周波数の信号を復調部１２に与える。
【００１３】
復調部１２は、チューナ部１１から与えられる信号を復調し、ストリームバス部１５に与える。記録再生ディスク装置１３は、コンテンツを記録可能なディスク状記録媒体を備える再生装置である。記録再生ディスク装置１３は、ディスク状記録媒体に記録されたコンテンツを再生する再生動作を行う。記録再生ディスク装置１３は、ディスク状記録媒体への記録動作も行うことができる。ディスク状記録媒体は、たとえばＣＤ（Compact Disk）、ＤＶＤ（Digital Versatile Disk）およびＢＤ（Blu-ray Disc（登録商標））などの光ディスク、またはハードディスクなどの磁気ディスクである。
【００１４】
テレビジョン受像機１は、たとえば、視聴者が指定した放送局から放送されるコンテンツ（以下「放送コンテンツ」という場合がある）を、予め記録再生ディスク装置１３に記録する。視聴者は、都合のよいときに、記録再生ディスク装置１３に記録された放送コンテンツを再生させることによって、視聴することができる。記録再生ディスク装置１３によって再生されたコンテンツ（以下「再生コンテンツ」という場合がある）は、ストリームバス部１５を経由して、ＡＶデコーダ部１８に与えられる。放送コンテンツは、外部から与えられるコンテンツである外部コンテンツに相当する。記録再生ディスク装置１３は、放送コンテンツなどの外部コンテンツを、後述する出力対象コンテンツとして記録可能である。
【００１５】
テレビジョン受像機１は、外部ネットワーク４１と接続される。具体的には、テレビジョン受像機１のネットワークデコード部１４が、外部ネットワーク４１と接続される。テレビジョン受像機１と外部ネットワーク４１との接続、すなわちネットワークデコード部１４と外部ネットワーク４１との接続は、有線であってもよいし、無線であってもよい。ネットワークデコード部１４には、外部ネットワーク４１を経由して、ネットワーク対応外部機器４２から、ネットワーク対応外部機器４２に関する情報（以下「外部機器情報」という場合がある）が与えられる。外部機器情報は、たとえば、ネットワーク対応外部機器４２の電源がオン状態であることを表す電源オン情報、ネットワーク対応外部機器４２の電源がオフ状態であることを表す電源オフ情報、およびネットワーク対応外部機器４２の消費電力量を表す消費電力量情報などの１つまたは複数を含む。
【００１６】
ネットワークデコード部１４は、ネットワーク対応外部機器４２から与えられる外部機器情報をデコードし、ストリームバス部１５、ネットワーク表示情報判別部１６および付加情報処理部２２に与える。
【００１７】
ネットワーク表示情報判別部１６は、ネットワークデコード部１４から与えられる外部機器情報の中に、主表示部３２または副表示部２８の表示画面に表示するべき情報（以下「ネットワーク表示情報」という場合がある）が含まれているか否かを判別する。ネットワーク表示情報判別部１６は、判別結果を本体制御部３０に与える。図１では、判別結果の流れを破線で示している。
【００１８】
ストリームバス部１５は、復調部１２から与えられる信号をＡＶデコーダ部１８に与える。ストリームバス部１５は、記録再生ディスク装置１３から与えられる再生コンテンツをＡＶデコーダ部１８に与える。ストリームバス部１５は、ネットワークデコード部１４から与えられる外部機器情報をＡＶデコーダ部１８に与える。
【００１９】
ＡＶデコーダ部１８に与えられるコンテンツは、テレビジョン受像機１から出力される対象となる。以下の説明では、テレビジョン受像機１の出力対象となるコンテンツを、「出力対象コンテンツ」という場合がある。出力対象コンテンツは、たとえば、復調部１２から与えられる信号、記録再生ディスク装置１３から与えられる再生コンテンツ、およびネットワークデコード部１４から与えられる外部機器情報である。
【００２０】
ＡＶデコーダ部１８は、出力対象コンテンツを、映像情報を表す映像コンテンツ、音声情報を表す音声コンテンツ、および付加情報にデコードする。付加情報は、出力対象コンテンツに関する情報である。
【００２１】
ＡＶデコーダ部１８によってデコードされた情報（以下「デコード情報」という場合がある）は、コンテンツ判別部１７、付加情報処理部２２、付加情報合成部２３および音声処理部２４に与えられる。デコード情報は、具体的には、映像コンテンツ、音声コンテンツおよび付加情報の１つまたは複数を含む。
【００２２】
ＡＶデコーダ部１８は、前述のように内部映像生成部１９、ビデオデコーダ部２０およびオーディオデコーダ部２１を備える。内部映像生成部１９は、出力対象コンテンツに映像コンテンツが含まれない場合に主表示部３２に表示される映像（以下「内部映像」という場合がある）を生成する。内部映像生成部１９は、生成した内部映像を付加情報合成部２３に与える。
【００２３】
ビデオデコーダ部２０は、出力対象コンテンツを映像コンテンツにデコードする。ビデオデコーダ部２０は、デコードした映像コンテンツを付加情報合成部２３に与える。オーディオデコーダ部２１は、出力対象コンテンツを音声コンテンツにデコードする。オーディオデコーダ部２１は、デコードした音声コンテンツを音声処理部２４に与える。
【００２４】
コンテンツ判別部１７は、ＡＶデコーダ部１８から与えられるデコード情報に基づいて、出力対象コンテンツに、少なくとも映像コンテンツが含まれているか否かを判別する。本実施の形態では、コンテンツ判別部１７は、出力対象コンテンツに、映像コンテンツおよび音声コンテンツが含まれているか否かを判別する。コンテンツ判別部１７は、判別結果を本体制御部３０に与える。図１では、判別結果の流れを破線で示している。
【００２５】
付加情報処理部２２は、ＡＶデコーダ部１８で抽出された付加情報を、画像情報に変換する。付加情報処理部２２は、画像情報に変換した付加情報を、付加情報合成部２３および副表示処理部２５に与える。
【００２６】
付加情報合成部２３は、ビデオデコーダ部２０から与えられる映像コンテンツに、付加情報処理部２２から与えられる付加情報を合成する。付加情報合成部２３は、付加情報を合成した映像コンテンツを主表示処理部２６に与える。
【００２７】
音声処理部２４は、オーディオデコーダ部２１から与えられる音声コンテンツに対して、音質、音量および音場を補正する処理（以下「音声補正処理」という場合がある）を行う。音声処理部２４によって音声補正処理が行われた音声コンテンツは、音声アンプ３４に与えられる。
【００２８】
音声アンプ３４は、音声処理部２４から与えられる音声補正処理後の音声コンテンツに対して、スピーカ３５を駆動するための増幅処理を行う。音声アンプ３４によって増幅処理が行われた音声コンテンツは、スピーカ３５に与えられ、スピーカ３５によって出力される。
【００２９】
副表示処理部２５は、付加情報処理部２２から与えられる付加情報に対して、テレビジョン受像機１の初期設定または視聴者によって選択された設定に従って、画質補正およびスケーリングなどの画像処理を行う。副表示処理部２５によって画像処理が行われた付加情報は、副表示部２８に与えられる。
【００３０】
副表示部２８は、副表示処理部２５から与えられる付加情報を表示する。付加情報は、たとえば、出力対象コンテンツに含まれる音声トラック番号情報および音声タイトル情報、ならびにネットワーク対応外部機器４２の電源オン情報、電源オフ情報および消費電力量情報の１つまたは複数を含む。付加情報は、再生時間および現在時刻などの情報を含んでいてもよい。副表示部２８によって表示が行われるとき、副表示部用バックライト２９が点灯され、副表示部２８を照明する。
【００３１】
また、副表示部２８は、後述する主表示部３２よりも消費電力の少ない表示装置によって構成される。たとえば、副表示部２８は、コンテンツの付加情報の表示、およびネットワーク対応外部機器４２からのネットワーク表示情報の表示に最低限必要な桁数のセグメント型液晶表示装置、またはドットマトリックス型半透過液晶表示装置によって構成される。
【００３２】
主表示処理部２６は、付加情報合成部２３から与えられる映像コンテンツに対して、画質補正およびスケーリングなどの映像処理を行う。主表示処理部２６によって映像処理が行われた映像コンテンツは、主表示部３２に与えられる。
【００３３】
主表示部３２は、たとえば液晶表示装置によって実現される。主表示部３２は、主表示処理部２６から与えられる映像コンテンツを表示する。主表示部３２によって表示が行われるとき、主表示部用バックライト３３が点灯され、主表示部３２を照明する。
【００３４】
本体制御部３０は、ネットワーク表示情報判別部１６の判別結果、およびコンテンツ判別部１７の判別結果に基づいて、副表示部２８、副表示部用バックライト２９、主表示部３２、主表示部用バックライト３３および音声アンプ３４をそれぞれ制御する。図１では、本体制御部３０から副表示部２８、副表示部用バックライト２９、主表示部３２、主表示部用バックライト３３および音声アンプ３４に与えられる制御指令を、破線で示している。
【００３５】
ネットワーク表示情報判別部１６およびコンテンツ判別部１７の判別結果は、以下の（１）〜（８）の８種類に大別される。
【００３６】
（１）映像コンテンツおよび音声コンテンツが含まれており、ネットワーク表示情報が含まれている場合。
【００３７】
（２）映像コンテンツおよび音声コンテンツが含まれており、ネットワーク表示情報が含まれていない場合。
【００３８】
（３）映像コンテンツが含まれており、音声コンテンツが含まれておらず、ネットワーク表示情報が含まれている場合。
【００３９】
（４）映像コンテンツが含まれており、音声コンテンツが含まれておらず、ネットワーク表示情報が含まれていない場合。
【００４０】
（５）映像コンテンツが含まれておらず、音声コンテンツが含まれており、ネットワーク表示情報が含まれている場合。
【００４１】
（６）映像コンテンツが含まれておらず、音声コンテンツが含まれており、ネットワーク表示情報が含まれていない場合。
【００４２】
（７）映像コンテンツおよび音声コンテンツが含まれておらず、ネットワーク表示情報が含まれている場合。
【００４３】
（８）映像コンテンツおよび音声コンテンツが含まれておらず、ネットワーク表示情報が含まれていない場合。
【００４４】
＜判別結果（１）＞
判別結果（１）は、コンテンツ判別部１７において、映像コンテンツおよび音声コンテンツが含まれていると判別され、ネットワーク表示情報判別部１６において、ネットワーク表示情報が含まれていると判別された場合である。
【００４５】
この場合、ＡＶデコーダ部１８で抽出された映像コンテンツ、音声コンテンツ、付加情報およびネットワーク表示情報は、付加情報処理部２２で処理され、画像情報として、付加情報合成部２３もしくは副表示処理部２５、またはその両方に送られる。
【００４６】
ビデオデコーダ部２０でデコードされた映像コンテンツは、付加情報合成部２３を経由して主表示処理部２６に与えられ、主表示処理部２６で画質補正およびスケーリングなどの映像処理が行われた後、主表示部３２によって表示される。
【００４７】
また、オーディオデコーダ部２１でデコードされた音声コンテンツは、音声処理部２４で音質、音量および音場などを補正する音声補正処理が行われ、音声アンプ３４で、スピーカ３５を駆動するための増幅処理が行われた後、スピーカ３５によって再生される。
【００４８】
画像情報に変換された付加情報は、テレビジョン受像機１の初期設定または視聴者によって選択された設定に基づいて、副表示処理部２５で画像処理され、副表示部２８によって表示される。または、画像情報に変換された付加情報は、付加情報合成部２３で映像コンテンツと合成され、主表示部３２によって表示される。または、画像情報に変換された付加情報は、副表示部２８および主表示部３２の双方によって表示される。または、画像情報に変換された付加情報は、副表示部２８および主表示部３２のいずれによっても表示されない。以上の判別結果（１）の場合、前記の４つのいずれかの状態となる。
【００４９】
＜判別結果（２）＞
判別結果（２）は、コンテンツ判別部１７において、映像コンテンツおよび音声コンテンツが含まれていると判別され、ネットワーク表示情報判別部１６において、ネットワーク表示情報が含まれていないと判別された場合である。この場合、ＡＶデコーダ部１８で抽出された映像コンテンツ、音声コンテンツおよび付加情報は、付加情報処理部２２で処理され、画像情報として、付加情報合成部２３もしくは副表示処理部２５、またはその両方に与えられる。
【００５０】
ビデオデコーダ部２０でデコードされた映像コンテンツは、付加情報合成部２３を経由して主表示処理部２６に与えられ、主表示処理部２６で画質補正およびスケーリングなどの映像処理が行われた後、主表示部３２によって表示される。
【００５１】
オーディオデコーダ部２１でデコードされた音声コンテンツは、音声処理部２４で音質、音量および音場を補正する音声補正処理が行われた後、音声アンプ３４で、スピーカ３５を駆動するための増幅処理が行われ、スピーカ３５によって再生される。
【００５２】
画像情報に変換された付加情報は、テレビジョン受像機１の初期設定または視聴者によって選択された設定に従って、副表示処理部２５で画像処理され、副表示部２８によって表示される。または、画像情報に変換された付加情報は、付加情報合成部２３で映像コンテンツと合成され、主表示部３２によって表示される。または、画像情報に変換された付加情報は、副表示部２８および主表示部３２の双方によって表示される。または、画像情報に変換された付加情報は、副表示部２８および主表示部３２のいずれによっても表示されない。以上の判別結果（２）の場合、前記の４つのいずれかの状態となる。
【００５３】
＜判別結果（３）＞
判別結果（３）は、コンテンツ判別部１７において、映像コンテンツが含まれており、音声コンテンツが含まれていないと判別され、ネットワーク表示情報判別部１６において、ネットワーク表示情報が含まれていると判別された場合である。この場合、ＡＶデコーダ部１８で抽出された映像コンテンツ、付加情報およびネットワーク表示情報は、付加情報処理部２２で処理され、画像情報として、付加情報合成部２３、もしくは副表示処理部２５、またはその両方に与えられる。
【００５４】
ビデオデコーダ部２０でデコードされた映像コンテンツは、付加情報合成部２３を経由して主表示処理部２６に与えられ、主表示処理部２６で画質補正およびスケーリングなどの映像処理が行われた後、主表示部３２によって表示される。
【００５５】
画像情報に変換された付加情報は、テレビジョン受像機１の初期設定または視聴者によって選択された設定に従って、副表示処理部２５で画像処理され、副表示部２８によって表示される。または、画像情報に変換された付加情報は、付加情報合成部２３で映像コンテンツと合成され、主表示部３２によって表示される。または、画像情報に変換された付加情報は、副表示部２８および主表示部３２の双方によって表示される。または、画像情報に変換された付加情報は、副表示部２８および主表示部３２のいずれによっても表示されない。以上の判別結果（３）の場合、前記の４つのいずれかの状態となる。
【００５６】
＜判別結果（４）＞
判別結果（４）は、コンテンツ判別部１７において、映像コンテンツが含まれており、音声コンテンツが含まれていないと判別され、ネットワーク表示情報判別部１６において、ネットワーク表示情報が含まれていないと判別された場合である。この場合、ＡＶデコーダ部１８で抽出された映像コンテンツおよび付加情報は、付加情報処理部２２で処理され、画像情報として、付加情報合成部２３、もしくは副表示処理部２５、またはその両方に与えられる。
【００５７】
ビデオデコーダ部２０でデコードされた映像コンテンツは、付加情報合成部２３を経由して主表示処理部２６に与えられ、主表示処理部２６で画質補正およびスケーリングなどの映像処理が行われた後、主表示部３２によって表示される。
【００５８】
画像情報に変換された付加情報は、テレビジョン受像機１の初期設定または視聴者によって選択された設定に従って、副表示処理部２５で画像処理され、副表示部２８によって表示される。または、画像情報に変換された付加情報は、付加情報合成部２３で映像コンテンツと合成され、主表示部３２によって表示される。または、画像情報に変換された付加情報は、副表示部２８および主表示部３２の双方によって表示される。または、画像情報に変換された付加情報は、副表示部２８および主表示部３２のいずれによっても表示されない。以上の判別結果（４）の場合、前記の４つのいずれかの状態となる。
【００５９】
＜判別結果（５）＞
判別結果（５）は、コンテンツ判別部１７において、映像コンテンツが含まれておらず、音声コンテンツが含まれていると判別され、ネットワーク表示情報判別部１６において、ネットワーク表示情報が含まれていると判別された場合である。この場合、ＡＶデコーダ部１８で抽出された音声コンテンツ、付加情報およびネットワーク表示情報は、付加情報処理部２２で処理され、画像情報として、付加情報合成部２３、もしくは副表示処理部２５、またはその両方に与えられる。
【００６０】
内部映像生成部１９で生成された内部映像は、付加情報合成部２３を経由して主表示処理部２６に与えられ、主表示処理部２６で画質補正およびスケーリングなどの映像処理が行われた後、主表示部３２によって表示される。
【００６１】
オーディオデコーダ部２１でデコードされた音声コンテンツは、音声処理部２４で音質、音量および音場を補正する音声補正処理が行われた後、音声アンプ３４で、スピーカ３５を駆動するための増幅処理が行われ、スピーカ３５によって再生される。
【００６２】
画像情報に変換された付加情報は、テレビジョン受像機１の初期設定または視聴者によって選択される設定に従って、副表示処理部２５で画像処理され、副表示部２８によって表示される。または、画像情報に変換された付加情報は、付加情報合成部２３で映像コンテンツと合成され、主表示部３２によって表示される。または、画像情報に変換された付加情報は、副表示部２８および主表示部３２の双方によって表示される。または、画像情報に変換された付加情報は、副表示部２８および主表示部３２のいずれによっても表示されない。以上の判別結果（５）の場合、前記の４つのいずれかの状態となる。
【００６３】
＜判別結果（６）＞
判別結果（６）は、コンテンツ判別部１７において、映像コンテンツが含まれておらず、音声コンテンツが含まれていると判別され、ネットワーク表示情報判別部１６において、ネットワーク表示情報が含まれていないと判別された場合である。この場合、ＡＶデコーダ部１８で抽出された音声コンテンツおよび付加情報は、付加情報処理部２２で処理され、画像情報として、付加情報合成部２３、もしくは副表示処理部２５、またはその両方に与えられる。
【００６４】
内部映像生成部１９で生成された内部映像は、付加情報合成部２３を経由して主表示処理部２６に与えられ、主表示処理部２６で画質補正およびスケーリングなどの映像処理が行われた後、主表示部３２によって表示される。
【００６５】
オーディオデコーダ部２１でデコードされた音声コンテンツは、音声処理部２４で音質、音量および音場を補正する音声補正処理が行われた後、音声アンプ３４で、スピーカ３５駆動するための増幅処理が行われ、スピーカ３５によって再生される。
【００６６】
画像情報に変換された付加情報は、テレビジョン受像機１の初期設定または視聴者によって選択された設定に従って、副表示処理部２５で画像処理され、副表示部２８によって表示される。または、画像情報に変換された付加情報は、付加情報合成部２３で映像コンテンツと合成され、主表示部３２によって表示される。または、画像情報に変換された付加情報は、副表示部２８および主表示部３２の双方によって表示される。または、画像情報に変換された付加情報は、副表示部２８および主表示部３２のいずれによっても表示されない。以上の判別結果（６）の場合、前記の４つのいずれかの状態となる。
【００６７】
＜判別結果（７）＞
判別結果（７）は、コンテンツ判別部１７において、映像コンテンツおよび音声コンテンツが含まれていないと判別され、ネットワーク表示情報判別部１６において、ネットワーク表示情報が含まれていると判別された場合である。この場合、ネットワーク表示情報は、付加情報処理部２２で処理され、画像情報として、付加情報合成部２３、もしくは副表示処理部２５、またはその両方に与えられる。
【００６８】
内部映像生成部１９で生成された内部映像は、付加情報合成部２３を経由して主表示処理部２６に与えられ、主表示処理部２６で画質補正およびスケーリングなどの映像処理が行われた後、主表示部３２によって表示される。
【００６９】
画像情報に変換された付加情報は、テレビジョン受像機１の初期設定または視聴者によって選択された設定に従って、副表示処理部２５で画像処理され、副表示部２８によって表示される。または、画像情報に変換された付加情報は、付加情報合成部２３で映像コンテンツと合成され、主表示部３２によって表示される。または、画像情報に変換された付加情報は、副表示部２８および主表示部３２の双方によって表示される。または、画像情報に変換された付加情報は、副表示部２８および主表示部３２のいずれによっても表示されない。以上の判別結果（７）の場合、前記の４つのいずれかの状態となる。
【００７０】
＜判別結果（８）＞
判別結果（８）は、コンテンツ判別部１７において、映像コンテンツおよび音声コンテンツが含まれていないと判別され、ネットワーク表示情報判別部１６において、ネットワーク表示情報が含まれていないと判別された場合である。この場合、内部映像生成部１９で生成された内部映像は、付加情報合成部２３を経由して主表示処理部２６に与えられ、主表示処理部２６で画質補正およびスケーリングなどの映像処理が行われた後、主表示部３２によって表示される。
【００７１】
内部映像は、テレビジョン受像機１の初期設定または視聴者によって選択された設定に従って、主表示部３２によって表示される。または、内部映像は、主表示部３２によって表示されない。以上の判別結果（８）の場合、前記の２つのいずれかの状態となる。
【００７２】
ここで、前述の判別結果（５）〜判別結果（７）のように、コンテンツ判別部１７において、映像コンテンツが含まれておらず、音声コンテンツが含まれていると判別された場合、またはネットワーク表示情報判別部１６において、ネットワーク表示情報が含まれていると判別された場合を考える。
【００７３】
この場合に、テレビジョン受像機１の初期設定または視聴者によって選択された設定に従って、主表示ユニット３１が、消費電力が低減される状態（以下「消費電力低減状態」という場合がある）に設定されているとき、本体制御部３０は、主表示ユニット３１を、消費電力が低減されるように制御する。
【００７４】
具体的には、本体制御部３０は、主表示部３２および主表示部用バックライト３３の少なくとも一方を、消費電力低減状態になるように制御する。本体制御部３０は、本実施の形態のように、主表示部３２が、映像を表示するために主表示部用バックライト３３を必要とする液晶表示装置によって実現される場合に、主表示部用バックライト３３を消費電力低減状態になるように制御する。具体的には、本体制御部３０は、主表示部用バックライト３３を消灯するか、または減光して点灯させる。
【００７５】
また、テレビジョン受像機１の初期設定または視聴者によって選択された設定に従って、副表示部２８によって付加情報を表示することが可能な状態（以下「表示可能状態」という場合がある）に設定されているとき、本体制御部３０は、副表示ユニット２７を表示可能状態になるように制御する。具体的には、本体制御部３０は、副表示部２８および副表示部用バックライト２９を表示可能状態になるように制御する。本体制御部３０は、本実施の形態のように、副表示部２８が、映像を表示するために副表示部用バックライト２９を必要とする液晶表示装置によって実現される場合に、副表示部用バックライト２９を表示可能状態になるように制御し、副表示部２８が付加情報を表示可能な状態にする。
【００７６】
以上のように本実施の形態によれば、出力対象コンテンツが、映像コンテンツが含まれないコンテンツである場合、主表示ユニット３１は消費電力低減状態になるように制御され、副表示部２８に付加情報が表示される。
【００７７】
これによって、テレビジョン受像機１の主表示ユニット３１の消費電力を低減することができる。また、付加情報は副表示部２８に表示されるので、付加情報を主表示部３２に表示する必要がない。これによって、主表示部３２で付加情報を表示することによる消費電力の増加を伴うことなく、副表示部２８で付加情報を確認することができる。
【００７８】
また、副表示部２８として、半透過液晶表示装置を使用する場合には、テレビジョン受像機１の初期設定または視聴者によって選択された設定に従って、副表示部用バックライト２９を消灯し、副表示部２８を反射型液晶表示装置として動作させることが可能である。これによって、副表示ユニット２７の消費電力を低減させ、かつ、付加情報を視聴者に提供することも可能である。
【００７９】
このように本実施の形態のテレビジョン受像機１では、消費電力を効果的に抑制しつつ、出力対象コンテンツに関連する付加情報、およびネットワーク対応外部機器４２から与えられるネットワーク表示情報などを表示することができる。
【００８０】
＜第２の実施の形態＞
図２は、本発明の第２の実施の形態であるテレビジョン受像機１Ａの構成を示すブロック図である。図３は、本発明の第２の実施の形態のテレビジョン受像機１Ａの外観を示す図である。本実施の形態のテレビジョン受像機１Ａは、前述の第１の実施の形態のテレビジョン受像機１と構成が類似しているので、同一の構成については同一の参照符号を付して、共通する説明を省略する。
【００８１】
本実施の形態のテレビジョン受像機１Ａは、前述の第１の実施の形態のテレビジョン受像機１の構成に、さらに、明るさセンサ３６を備えて構成される。明るさセンサ３６は、周囲の明るさ、たとえばテレビジョン受像機１Ａが設置される部屋の明るさを表す明るさ情報を検出する。明るさセンサ３６は、検出した明るさ情報を本体制御部３０に与える。
【００８２】
本体制御部３０は、明るさセンサ３６から与えられる明るさ情報に基づいて、部屋の明るさが明るいと判断した場合、副表示ユニット２７を消費電力低減状態になるように制御する。たとえば、副表示部２８がドットマトリックス型半透過液晶表示装置などの半透過液晶表示装置で構成される場合には、本体制御部３０は、副表示部２８のバックライトである副表示部用バックライト２９を消灯し、副表示部２８を構成する半透過液晶表示装置を、反射型液晶表示装置として動作させる。
【００８３】
このように副表示ユニット２７を消費電力低減状態になるように制御することによって、前述の第１の実施の形態における主表示ユニット３１の消費電力の低減に加え、副表示ユニット２７の消費電力の低減を実現しつつ、付加情報およびネットワーク表示情報を視聴者に提供することができる。
【００８４】
図３に示すように、テレビジョン受像機１Ａは、たとえば、矩形状の表示画面を有する主表示部３２の下方に、副表示部２８を備える。たとえば、テレビジョン受像機１Ａに内蔵される記録再生ディスク装置１３によって、音声コンテンツを含み、映像コンテンツを含まない出力対象コンテンツが再生される場合を考える。
【００８５】
この場合、主表示ユニット３１は消費電力低減状態になるように制御され、スピーカ３５から音声コンテンツが出力され、副表示部２８に、出力対象コンテンツに関連する付加情報が表示される。副表示部２８には、付加情報として、たとえば「ａｂｃｄ」などの文字情報が表示される。
【００８６】
また外部ネットワーク４１を経由して、ネットワーク対応外部機器４２から、ネットワーク表示情報がテレビジョン受像機１Ａに与えられる場合、主表示ユニット３１は消費電力低減状態になるように制御され、副表示部２８には、ネットワーク表示情報が表示される。
【００８７】
本実施の形態では、テレビジョン受像機１Ａは、前述のように、明るさセンサ３６を備え、明るさセンサ３６によって検出される明るさ情報に基づいて、部屋の明るさが明るいと判断されると、副表示ユニット２７を消費電力低減状態になるように制御する。
【００８８】
「副表示ユニット２７を消費電力低減状態になるように制御する」とは、たとえば、副表示部２８を照明する副表示部用バックライト２９を消灯または減光した状態にすることである。また「副表示ユニット２７を消費電力低減状態になるようにする」とは、副表示部２８を非表示にすることであってもよいし、定期的に副表示部２８の表示と非表示とを繰返すことであってもよい。
【００８９】
このように副表示ユニット２７を消費電力低減状態になるように制御することによって、前述の第１の実施の形態と同様に主表示ユニット３１の消費電力を低減するとともに、副表示ユニット２７の消費電力を低減して、付加情報およびネットワーク表示情報を視聴者に提供することができる。
【００９０】
また本実施の形態において、視聴者が、チューナ部１１で受信されて復調部１２で復調された放送コンテンツを記録再生ディスク装置１３に録画することを意図して、記録再生ディスク装置１３が記録動作を行っているときに、視聴者が、記録動作中の放送コンテンツを視聴する意思がない場合を考える。
【００９１】
この場合、本体制御部３０は、主表示部３２、主表示部用バックライト３３および音声アンプ３４を、消費電力低減状態になるように制御する。また本体制御部３０は、副表示部２８および副表示部用バックライト２９を表示可能状態になるように制御して、付加情報を表示させる。
【００９２】
これによって、記録再生ディスク装置１３が記録動作を行っているときに、消費電力を効果的に抑制しつつ、出力対象コンテンツに関連する付加情報、および外部機器から与えられるネットワーク表示情報などを表示することができる。
【００９３】
ここで、付加情報とは、たとえば、録画中の放送番組のチャンネル表示、番組タイトル情報、またはネットワーク対応外部機器４２の電源オン情報、電源オフ情報および消費電力量情報などのネットワーク表示情報である。付加情報は、現在時刻、および今後の録画予約情報などであってもよい。
【００９４】
また本体制御部３０は、明るさセンサ３６によって検出される明るさ情報に基づいて、部屋の明るさが明るいと判断された場合、副表示ユニット２７を消費電力低減状態になるように制御する。たとえば、副表示部２８がドットマトリックス型半透過液晶表示装置などの半透過液晶表示装置で構成される場合、本体制御部３０は、副表示部２８を照明する副表示部用バックライト２９を消灯し、副表示部２８を反射型液晶表示装置として動作させる。
【００９５】
これによって、主表示部３２および主表示部用バックライト３３を含む主表示ユニット３１の消費電力の低減に加え、副表示部用バックライト２９を含む副表示ユニット２７の消費電力の低減を実現しつつ、付加情報およびネットワーク表示情報を視聴者に提供することができる。
【００９６】
本発明は、その発明の範囲内において、前述の各実施の形態を自由に組み合わせることが可能であり、また各実施の形態の任意の構成要素を適宜、変形または省略することが可能である。
【符号の説明】
【００９７】
１，１Ａ  テレビジョン受像機、１０  アンテナ、１１  チューナ部、１２  復調部、１３  記録再生ディスク装置、１４  ネットワークデコード部、１５  ストリームバス部、１６  ネットワーク表示情報判別部、１７  コンテンツ判別部、１８  ＡＶデコーダ部、１９  内部映像生成部、２０  ビデオデコーダ部、２１  オーディオデコーダ部、２２  付加情報処理部、２３  付加情報合成部、２４  音声処理部、２５  副表示処理部、２６  主表示処理部、２７  副表示ユニット、２８  副表示部、２９  副表示部用バックライト、３０  本体制御部、３１  主表示ユニット、３２  主表示部、３３  主表示部用バックライト、３４  音声アンプ、３５  スピーカ、３６  明るさセンサ、４１  外部ネットワーク、４２  ネットワーク対応外部機器。
【図１】
2014229960.tif 000003
【図２】
2014229960.tif 000004
【図３】
2014229960.tif 000005